(57)【要約】【課題】浴槽における手摺の位置を所望の位置に自由にスライド移動させてその場で強固に固定することができ、また、不使用時には手摺を回動させて壁に固定させておくことができ、さらに、浴槽用手摺を設置する際に浴槽への加工を必要としない浴槽用手摺を提供する。【解決手段】浴槽８を備える浴室７に設置され、前記浴槽８に入浴する際に使用者が体を支えるために把持する浴槽用手摺であって、浴槽８と平行に固設されるガイドバー２と、このガイドバー２上を摺動可能に設けられるスライド部材３ａと、ガイドバー２の長さ方向に対して垂直にスライド部材３ａに固設される手摺バー５と、スライド部材３ａに設けられるストッパー４とを有し、ストッパー４は、ガイドバー２を押圧する押圧部材と、押圧部材を加圧するための加圧機構とを備え、手摺バー５は、ガイドバー２を基軸に回動することを特徴とする浴槽用手摺による。【選択図】  図１
0003126240.tif 000002
【実用新案登録請求の範囲】
【請求項１】
浴槽を備える浴室に設置され、前記浴槽に入浴する際に使用者が体を支えるために把持する浴槽用手摺であって、
前記浴槽と平行に固設されるガイドバーと、前記ガイドバー上を摺動可能に設けられるスライド部材と、前記ガイドバーの長さ方向に対して垂直に前記スライド部材に固設される手摺バーと、前記スライド部材に設けられるストッパーとを有し、
前記ストッパーは、前記ガイドバーを押圧する押圧部材と、前記押圧部材を加圧するための加圧機構とを備え、
前記手摺バーは、前記ガイドバーを基軸に回動することを特徴とする浴槽用手摺。
【請求項２】
前記手摺バーの前記スライド部材に固設されない側の端部は、屈曲又は湾曲して前記浴槽の側壁に当接することを特徴とする請求項１に記載の浴槽用手摺。
【請求項３】
前記手摺バーの前記スライド部材に固設されない側の端部は、その先端に弾性体を備えることを特徴とする請求項２に記載の浴槽用手摺。
【請求項４】
前記押圧部材の前記ガイドバーに対向する側の面は、弾性体を一体又は別体に備えることを特徴とする請求項１乃至請求項３のいずれか１項記載の浴槽用手摺。
【請求項５】
前記加圧機構は、前記スライド部材を貫通する孔に雌ネジを具備するネジ受け部と、その頭部にハンドルを具備し、前記ネジ受け部の雌ネジに螺合して、前記押圧部材を前記ガイドバーに押圧する雄ネジとを備えることを特徴とする請求項１乃至請求項４のいずれか１項記載の浴槽用手摺。 
【考案の詳細な説明】
【技術分野】
【０００１】
本考案は浴槽を備える浴室に設置され、浴槽に入浴する際に使用者が体を支えるために把持する浴槽用手摺に関する。
【背景技術】
【０００２】
加齢や障害による肢体不自由者が安全に入浴することができるよう、浴槽に設置する手摺構造に関する発明が開示されている。
【０００３】
特許文献１には、「足湯装置付浴槽」という名称で、浴槽の底に足湯用の湯桶代わりとなる段差を設けた浴槽および、この浴槽に取り付けられる手摺構造が開示されている。
特許文献１に開示される「足湯装置付浴槽」は、浴槽の底部を断面から見た場合に上段、中段、下段となる３通り高さの床面により構成されており、使用する際には浴槽の最も深い下段部分に湯を満たし、スペースの広い上段に使用者は着座して下段部分に足を浸せばよい。
また、このように段差を有する浴槽に入浴する際に、使用者が安心して入浴することができるよう浴槽には浴槽の長辺と平行に手すりが設置され、加えて、使用者が浴槽に入る際に底が深くなっている下段部分に誤って入ってしまわないよう、略Ｈ形の手すり（Ｈ型回転式手すり）が浴槽の下段部分と符合する位置に、つまり、浴槽の下段部分を横断するように設置されている。そして、このＨ型回転式手すりは浴槽の長辺と平行に設置される手すりを基軸に回動可能に設置されている。
上記構成の特許文献１に記載の発明によれば、Ｈ型回転式手すりを使用しない場合には、Ｈ型回転式手すりを壁面に回動させ、壁面に設けられるＨ型回転式手すり固定枠台により固定して収納することができるという効果を有する。
さらに、浴槽の長辺と平行に設置される手すり及び、この手すりに回動可能に垂設されるＨ型回転式手すりを把持することで、使用者は安全に浴槽に出入することができるという効果を有する。
【０００４】
また、特許文献２には「移動式手摺装置」という名称で、たとえば、浴槽に設置される手摺であって、必要に応じて手摺を軽快に移動することができ、さらに、所定位置で自動的に仮止めでき、加えて、簡潔な操作で強固に固定可能で不使用時に手摺が邪魔にならない移動式手摺装置に関する発明が開示されている。
特許文献２に記載の発明は、移動ブロックと走行体とからなる移動体に、手摺の先端が揺動自在に枢着されるものであり、さらにこの手摺は、パイプと、バスリム等に設けた手摺固定用受座の孔へ嵌脱自在な基端であるダボと、パイプの基端に摺動自在に嵌合した取手と、パイプ内に挿通されて取手に連結した連結ロッドとにより伸縮自在に形成されるものである。
また、特許文献２に記載の発明は、手摺をその手摺固定用受座に対応する位置に停止させる仮止め機構と、この仮止め位置に手摺を固定するための手摺ロック機構とを、移動体の走行体と、ガイドレールおよび連結ロッドとガイドレールとにわたって装備している。
上記構成の「移動式手摺装置」は、必要に応じて手摺を軽快に移動させることができ、しかも、所定の位置において揺動不可となるように強固に固定することができるという効果を有する。
この結果、「移動式手摺装置」を使用する身体障害者、高齢者等の身体不自由者に不安感を与える心配がなく、また、取手をスライドするという容易な操作によって、手摺の固定と、その解除を簡易迅速に行うことができるという効果を有する。
さらに、特許文献２に記載の「移動式手摺装置」は、移動体に対しても揺動自在に枢着されるので、移動時に、移動方向と異なる方向への外力が加わっても、これと同一方向へ手摺が揺動することで外力が吸収される。従って、特許文献２に記載の手摺と移動体との連結部材に無理な力が加わることがなく、手摺の連結部分が作業中に破損する心配がないので、手摺装置の耐久性も高まるという効果も有する。
【０００５】
【特許文献１】特開２００４−３１３７２４号公報
【特許文献２】特開平１０−８０４５２号公報
【考案の開示】
【考案が解決しようとする課題】
【０００６】
しかしながら、上述の特許文献１に開示された発明においては、Ｈ型回転式手すりの端部は、浴槽の長辺に平行に取り付けられる手摺に掛着、あるいは、枢設されていると考えられる。その一方で、特許文献１には、Ｈ型回転式手すりを浴槽の長辺に平行に取り付けられる手摺上に確実に固定するための構成については何ら開示されていない。
このため、使用者が浴槽に出入りする際にＨ型回転式手すりに体重をかけた際に、不意にＨ型回転式手すりが浴槽に平行に取り付けられる手摺上をスライド移送してしまう可能性があり、このような場合、使用者がバランスを崩して浴槽内において転倒する恐れもあり極めて危険であった。
【０００７】
また、特許文献２に記載の発明は、手摺を軽快に移動させることができ、また確実に固定することができるものの、バスリムの手摺固定用受座が設けられた位置にしか手摺を移動することができないので、特許文献２に記載の手摺を設置する際には、使用者にとって最適な手摺の固定位置を決定した上で特許文献２に記載の「移動式手摺装置」を設置する必要があり煩雑である上、個別にオーダーメイドする必要がありコストも割高になる可能性があった。
また、特許文献２に記載の「移動式手摺装置」を設置する際には、手摺固定用受座をバスリムに設ける必要がある。このため、手摺と手摺を移動させるためのレールを設置する作業に加え、バスリムにも加工を加える必要があり、この点においても特許文献２に記載の「移動式手摺装置」を設置する際にはコストがかさむという課題があった。
さらに、特許文献２に記載の「移動式手摺装置」は、移動中の負荷により「移動式手摺装置」が破損するのを防止する目的で揺動可能に構成されているが、手摺の移動中に使用者がバランスを崩して転倒してしまう可能性もあり危険であった。
【課題を解決するための手段】
【０００８】
本考案は係る従来の事情に対処してなされたものであり、浴槽における手摺の位置を所望の位置に自由にスライド移動させてその場で強固に固定することができ、また、不使用時には手摺を回動させて壁に固定させておくことができ、さらに、浴槽用手摺を設置する際に浴槽への加工を必要としない浴槽用手摺を提供することにある。
【０００９】
上記目的を達成するため、請求項１記載の考案である浴槽用手摺は、浴槽を備える浴室に設置され、浴槽に入浴する際に使用者が体を支えるために把持する浴槽用手摺であって、浴槽と平行に固設されるガイドバーと、このガイドバー上を摺動可能に設けられるスライド部材と、ガイドバーの長さ方向に対して垂直にスライド部材に固設される手摺バーと、スライド部材に設けられるストッパーとを有し、ストッパーは、ガイドバーを押圧する押圧部材と、押圧部材を加圧するための加圧機構とを備え、手摺バーは、ガイドバーを基軸に回動することを特徴とするものである。
上記構成の浴槽用手摺においてスライド部材は、手摺バーを支持しながらガイドバー上を摺動し、さらに、手摺バーをガイドバーを基軸に回動させるという作用を有する。
さらに、ストッパーの押圧部材は、加圧機構により加圧されてガイドバーに圧接されてスライド部材の摺動を妨げるという作用を有する。
また、スライドバー及び手摺バーは、入浴時に使用者に把持されて使用者の体を支えるという作用を有する。
【００１０】
また、請求項２に記載の考案である浴槽用手摺は、請求項１に記載の浴槽用手摺であって、手摺バーのスライド部材に固設されない側の端部は、屈曲又は湾曲して浴槽の側壁に当接することを特徴とするものである。
上記構成の浴槽用手摺は、請求項１記載の考案の作用と同様の作用に加え、手摺バーの屈曲又は湾曲部分は浴槽に隣接する洗い場に突出し、洗い場にいる使用者に把持されて、洗い場で作業をする使用者の体を、あるいは、洗い場から浴槽に進入する使用者の体を支えるという作用を有する。
【００１１】
さらに、請求項３に記載の考案である浴槽用手摺は、請求項２に記載の浴槽用手摺であって、手摺バーのスライド部材に固設されない側の端部は、その先端に弾性体を備えることを特徴とするものである。
上記構成の浴槽用手摺においては、請求項２記載の考案の作用と同様の作用に加え、手摺バーのスライド部材に固設されない側の端部に設けられる弾性体は、手摺バーの先端を被覆するという作用を有する。この結果、手摺バーのスライド部材に固設されない側の端部が浴槽の側壁に直接接触するのを妨げるという作用を有する。
【００１２】
また、請求項４に記載の考案である浴槽用手摺は、請求項１乃至請求項３のいずれか１項記載の浴槽用手摺であって、押圧部材のガイドバーに対向する側の面は、弾性体を一体又は別体に備えることを特徴とするものである。
上記構成の浴槽用手摺においては、請求項１乃至請求項３のいずれか１項記載の浴槽用手摺と同様の作用に加え、弾性体は押圧部材により加圧されてガイドバーに密着するという作用を有する。そして、弾性体がガイドバーに密着することでスライド部材が摺動するのを妨げるという作用を有する。
【００１３】
請求項５に記載の考案である浴槽用手摺は、請求項１乃至請求項４のいずれか１項記載の浴槽用手摺であって、加圧機構は、スライド部材を貫通する孔に雌ネジを具備するネジ受け部と、頭部にハンドルを具備し、ネジ受け部の雌ネジに螺合して、押圧部材をガイドバーに押圧する雄ネジとを備えることを特徴とするものである。
上記構成の浴槽用手摺においては、請求項１乃至請求項４のいずれか１項記載の浴槽用手摺と同様の作用に加え、ハンドルは雄ネジに連結して雄ネジを軸方向に回転させるという作用を有する。また、雄ネジが軸方向に回転することで、その先端がネジ受け部からガイドバー側に進出して押圧部材を加圧するという作用を有する。
また、逆方向に雄ネジを回転させた場合には、雄ネジの先端がガイドバーから離れる方向に後退し、押圧部材に押圧力が作用するのを解除するという作用を有する。
これらの作用により、スライド部材の固定とその解除の切替えを可能にするという作用を有する。
【考案の効果】
【００１４】
以上説明したように、請求項１に記載の浴槽用手摺においては、スライド部材を摺動させることで、スライド部材に固設された手摺バーを所望の位置に移動させることができるという効果を有する。また、スライド部材はストッパーを備えることで、所望の位置に移動した手摺バーをその場で確実に固定することができるという効果を有する。このため、安全性の高い浴槽用手摺を提供することができるという効果を有する。
このことはつまり、ガイドバー上の任意の位置で手摺バーを確実に固定することができることを意味しており、手摺バーの固定位置に関して汎用性の高い浴槽用手摺を提供できるという優れた効果を有する。
よって、使用者はガイドバー及び手摺バーを把持することで体を支えながら安全に浴槽に出入することができるという効果を有する。
また、使用者が浴槽内で入浴する場合には、手摺バーを把持することで水中における体制を安定させることができるという効果を有する。
さらに、手摺バーはガイドバーを基軸に浴室の壁側へと回動させることができるので、手摺バーを必要としない人が、たとえば、健常者が浴室を使用する場合には、浴室の壁面に手摺バーを回動することで、浴槽に手摺バーが存在しない状態で浴槽を使用できるという効果を有する。
この結果、健常者にとっての利便性を損なうことなく、体の不自由にとっては安全な浴室にすることができるという効果を有する。
加えて、本考案の請求項１記載の浴槽用手摺は、ガイドバー上の任意の場所に手摺バーを固定できるという優れた効果を有していながら、設置する際に浴槽に何ら加工を施す必要が無いので、既存の浴槽に本考案の請求項１記載の浴槽用手摺のみを設置することが可能であり、このため、工事にかかる費用を安価にすることができるという効果を有する。
【００１５】
また、請求項２に記載の浴槽用手摺は、請求項１記載の考案と同様の効果に加えて、使用者は、浴室の洗い場に突出する手摺バーの屈曲又は湾曲部分を把持することで、洗い場において立ち上がったり、あるいは、しゃがんだりする動作を行なう際に手摺バーに体重をかけて姿勢を安定させることができるという効果を有する。このため、本考案に係る請求項２に記載の浴槽用手摺りを設置することで、浴室の洗い場における転倒事故をも防止することができるという効果も期待できる。
【００１６】
さらに、請求項３に記載の浴槽用手摺は、請求項２に記載の考案と同じ効果に加えて、手摺バーのスライド部材に固設されない側の端部に弾性体を備えることで、手摺バーを、回動させて浴槽に跨設した際に、手摺バーの先端部が浴槽の壁面に接触して浴槽の壁面を傷つけるのを防止するという効果を有する。
この結果、手摺バーを回動させて使用することによる浴室の破損を防止することができるという効果を発揮する。
【００１７】
請求項４に記載の浴槽用手摺は、請求項１乃至請求項３に記載のそれぞれの考案と同じ効果に加えて、弾性体を備えることで、押圧部材に押圧力が加えられた際に、弾性体が弾性変形してガイドバーとの接触面積を拡大させることができる。つまり、押圧部材が直接ガイドバーに接触する場合よりもガイドバーに大きな摩擦力を作用させることができるという効果を有する。
この結果、ガイドバー上の所望の位置に手摺バーを一層確実に固定することができるという効果を有する。
また、ガイドバー上において手摺バーの固定と解除を繰り返した場合でも、ガイドバーを傷つける心配がないという効果を有する。
【００１８】
最後に、請求項５に記載の浴槽用手摺は、請求項１乃至請求項４に記載のそれぞれの考案と同じ効果に加えて、雄ネジの頭部に設けられたハンドルを回転するという単純作業を行うことで、ネジ受け部に収容される押圧部材を加圧することができるという効果を有する。
この結果、手摺バーの固定及びその解除に係る操作性が向上するという効果を有する。
【考案を実施するための最良の形態】
【００１９】
本考案の最良の形態に係る浴槽用手摺の実施例について説明する。
【００２０】
以下に、実施例１に係る浴槽用手摺を図１乃至図３を参照しながら説明する。（主に請求項１乃至請求項５に対応。）
図１は本考案の実施例１に係る浴槽用手摺を浴室に設置した状態を示す概念図である。
図１に示すように、本考案の実施例１に係る浴槽用手摺１ａは、浴室７の浴槽８近傍に設置されて、入浴者が浴槽用手摺１ａを把持することで体を支えて姿勢を安定させるためのものである。
このような浴槽用手摺１ａは、たとえば、略矩形状の浴槽８の長辺近傍に固設されるガイドバー２にスライド部材３ａが周設されており、このスライド部材３ａはガイドバー２上を摺動するよう、すなわち、図中の符号Ａで示す方向にスライドするよう構成されるものである。また、スライド部材３ａにはガイドバー２に直交するように手摺バー５が固設されている。
なお、本実施例においては、浴槽８の一例として略矩形状の浴槽８の場合を例に挙げて説明しているが、浴槽８の形状は必ずしも略矩形状である必要はなく、浴槽８の一方の側壁８ａから対向する他の側壁８ｂまでの距離が一定であれば浴槽８の内側の形状はどのような形状でもよい。さらに、ガイドバー２は浴槽８の短辺側に固設してもよい。この場合、手摺バー５は浴槽８を縦断するように配置されることになる。
さらに、スライド部材３ａは、ガイドバー２に必ずしも周設される必要はなく、手摺バー５の使用時にスライド部材３ａがガイドバー２から外れないよう、スライド部材３ａをガイドバー２に掛着してもよい。
また、スライド部材３ａには、ガイドバー２上の所望の位置に手摺バー５を固定するためのストッパー４が設けられている。なお、ストッパー４が作用する仕組みについては後述する。
【００２１】
このように、本考案の実施例１に記載の浴槽用手摺１ａによれば、ガイドバー２上の所望の位置にスライド部材３ａを固定することで、使用者は浴槽８の所望の位置に手摺バー５を固定することができるという効果を有する。
そして、浴槽８に出入する場合や、浴槽８内で湯につかる場合に、手摺バー５やガイドバー２を把持することで姿勢を安定させることができるという効果を有する。
この結果、加齢により足腰の弱った人や、障害により体が不自由な人が安心して入浴できるという効果を有する。
さらに、スライド部材３ａはガイドバー２に周設されているので、例えば浴槽８を掃除する場合や、手摺バー５を必要としない健常者が浴槽８に入浴する場合には、手摺バー５をガイドバー２を基軸に側壁７ａ側へと持ち上げることができる、すなわち、図中の符号Ｂに示す方向に回動させることができるという効果も有する。
このため、浴室７の側壁７ａに手摺バー５を着脱可能に保持するための保持具１８を予め設置しておけば、手摺バー５を必要としない場合に側壁７ａに手摺バー５を収納することができて便利である。
【００２２】
また、図１に示すように、スライド部材３ａに固設される手摺バー５のスライド部材３ａに固設されない側の端部は、湾曲部５ａを形成して浴室７の洗い場９に突出し、さらに、手摺バー５の先端部５ｂには弾性体６が覆設されているので、手摺バー５の先端部５ｂは弾性体６を介して側壁８ｂに当接することになる。
このように、湾曲部５ａ及び弾性体６を備えることで、手摺バー５を側壁７ａから取外して浴槽８に跨設する際に、湾曲部５ａの先端部５ｂを側壁８ｂに掛着させることができるという効果を有する。
この結果、手摺バー５の揺動を防止することができるという効果を有する。また、手摺バー５の移動や設置を繰り返した場合であっても先端部５ｂが浴槽８の側壁８ｂを傷つける心配がなく、浴槽用手摺１ａを設置することにより浴室７が破損するのを防止できるという効果を有する。
さらに、手摺バー５の湾曲部５ａは浴室７の洗い場９に突出しているので、使用者が洗い場９で体を洗うためにしゃがんだり、立ち上がったりする際に湾曲部５ａ部分を把持して体を支えることができる。この結果、浴槽用手摺１ａを設置することで洗い場９における転倒事故も防止することができるという効果を有する。
【００２３】
次に、スライド部材３ａに設けられるストッパー４が作用する仕組みについて図２及び図３を参照しながら詳細に説明する。
図２は本考案の実施例１に係る浴槽用手摺のスライド部材を詳細に示す部分概念図である。また、図３（ａ），（ｂ）はいずれも図２中のＣ−Ｃ線における矢視断面図である。なお、図１に記載されたものと同一部分については同一符号を付し、その構成についての説明は省略する。
図２に示すように、本考案の実施例１に係るスライド部材３ａは、ガイドバー２に周設されるスライド部材本体１０ａに、ガイドバー２に対して垂直に手摺バー５を固定するための手摺バー保持部１０ｂが垂設され、さらに、ガイドバー２上の所望の位置に手摺バー５を固定するためのストッパー４が手摺バー保持部１０ｂと同じ位置に取付角度を変えて突設されている。
このように、ストッパー４をスライド部材３ａにおける手摺バー保持部１０ｂと同じ位置に取付角度を変えて突設した場合には、図１に示す浴槽８の手前側、あるいは奥側のどちらからでもストッパー４を操作することができるという効果を有する。
また、スライド部材３ａを固定するためのストッパー４には、図３（ａ）に示すように、スライド部材本体１０ａの、たとえば、上面にガイドバー２に到達する孔１５が穿設され、この孔１５の上部に、孔１５と略符合する位置に雌ネジ１３を有するネジ受け部１１が覆設され、このネジ受け部１１の雌ネジ１３には、頭部にハンドル１４を備える雄ネジ１２が螺設されている。
また、ネジ受け部１１の内部には、ガイドバー２の側面に面接触してガイドバー２を直接押圧する弾性体１７と、ネジ受け部１１の内側に挿入される雄ネジ１２の先端部に当接して、雄ネジ１２がネジ受け部１１内に進入する際に生じる押圧力を弾性体１７に伝達する平板状の押圧部材１６が収容されている。
上記構成のストッパー４により、ガイドバー２上にスライド部材３ａを固定するには、図２及び図３に示す、雄ネジ１２の頭部に設けられるハンドル１４を、雄ネジ１２がネジ受け部１１の内部に進入するように回転させればよい、本実施例においては、図２中の符号Ｄで示す方向にハンドル１４を回転させればよい。
【００２４】
そして、図３（ｂ）に示すように、雄ネジ１２のハンドル１４を回転させると、雄ネジ１２はネジ受け部１１の内部へと徐々に進入し、これに伴って押圧部材１６が下方へと押し下げられる。
この結果、押圧部材１６の下面側に一体又は別体に設けられる弾性体１７は、弾性収縮しながらガイドバー２の側面に押しつけられ、スライド部材３ａをガイドバー２上で摺動させようとすると、ガイドバー２と弾性体１７との接触面に摩擦力が発生して、スライド部材３ａの摺動が妨げられるのである。
一方、これとは逆にネジ受け部１１から雄ネジ１２を抜く方向にハンドル１４を回転させると、押圧部材１６に加わる押圧力が徐々に減少して押圧部材１６が上昇し、この結果、ガイドバー２の側面と弾性体１７の密着状態が解除されて、スライド部材３ａを所望の位置にスライドさせることができるのである。
従って、本考案の実施例１に係る浴槽用手摺１ａは、スライド部材３ａに上述のような構成のストッパー４を備えることで、使用者はガイドバー２上の所望の位置に手摺バー５を移動させることができるだけでなく、その位置において手摺バー５を確実に固定できるという効果を有する。
このため、使用者が浴槽８において入浴する際に手摺バー５を把持して体重をかけた場合でも、スライド部材３ａが不意に摺動する恐れがないため、安心して浴槽８に入浴することができるという効果が発揮される。
また、上述のようなストッパー４により手摺バー５の固定及びその解除を行なう場合、たとえば、金属や合成樹脂製の管体に何ら加工を施すことなくそのままガイドバー２として採用することができる。この結果、ガイドバー２に特別な加工を施す必要がないことから浴槽用手摺１ａを作製、又は設置する際のコストを安価にできるという効果を有する。さらに、ガイドバー２の強度も十分確保することができるので、ガイドバー２自体も浴槽８に入浴する際の手摺として使用することができるという効果を有する。
さらに、図示しないが、手摺バー５の表面、又は湾曲部５ａの表面に合成樹脂やゴム等の弾性材料からなる滑り止めを設けたり、手摺バー５の表面又は湾曲部５ａの表面を凹凸に加工してもよく、この場合、使用者が手摺バー５を把持した際に、手を滑らせる心配がないので、使用者は浴槽用手摺１ａを利用して一層安全に浴槽８に入浴することができるという効果を有する。
【００２５】
なお、ストッパー４において、ネジ受け部１１の内側に収容される雄ネジ１２と押圧部材１６、または、押圧部材１６と弾性体１７、あるいは、雄ネジ１２と押圧部材１６と弾性体１７は、それぞれを結合して一体に構成してもよい。
特に、押圧部材１６と弾性体１７を別体に備える場合には、弾性体１７の交換が容易となり、浴槽用手摺１ａのメンテナンス作業が容易になるという効果を有する。
他方、雄ネジ１２と押圧部材１６と弾性体１７を一体に構成した場合には、雄ネジ１２をネジ受け部１１から抜ける方向に回動させた際に、ガイドバー２の側面から弾性体１７が確実に離間するので、スライド部材３ａをスムースにスライドさせることができるという効果を有する。
また、ストッパー４に係る押圧部材１６や弾性体１７のいずれか一方、あるいは両方を設けない場合であっても、ガイドバー２にスライド部材３ａを強固に固定することは十分可能であるが、スライド部材３ａの固定とその解除に伴うガイドバー２の損傷を防止するためには、ストッパー４に少なくとも押圧部材１６を設けることが望ましく、さらに、この場合、押圧部材１６はガイドバー２の形状に沿って湾曲することが望ましい。このように、押圧部材１６をガイドバー２の側面に沿って湾曲させた場合には、ガイドバー２の側面との接触面積が大きくなり、スライド部材３ａをスライドさせようとした際に大きな摩擦力が発生することを期待できるからである。
加えて、本考案に係る浴槽用手摺１ａの安全性を一層高めるためには、押圧部材１６に加えて弾性体１７を備えることが望ましい。このように、弾性体１７を備えることでガイドバー２の側面と弾性体１７との密着度が高まり、スライド部材３ａをスライドさせようとした際に、一層大きな摩擦力が発生することを期待できるからである。なお、弾性体１７も、ガイドバー２の側面の形状に沿うように湾曲させたものを用いてもよい。
なお、本実施例においては、図３（ａ）に示すように、スライド部材本体１０ａにネジ受け部１１を着脱可能に螺設している。このように、スライド部材３ａに対してネジ受け部１１を着脱可能に構成することで、ネジ受け部１１内に収容される弾性体１７を交換する際に、スライド部材３ａをガイドバー２から外す必要がなく便利である。
さらに、ストッパー４に弾性体１７を設ける際には、スライド部材本体１０ａに穿設する孔１５の直径は、ガイドバー２の幅の１／２以上であることが望ましい。これは、孔１５の直径がガイドバー２の幅の１／２よりも小さい場合には、ガイドバー２の側面に弾性体１７を密着させた場合でも、十分な摩擦力が発揮されない可能性があるためである。
【００２６】
図４は実施例１に係る浴槽用手摺のスライド部材と手摺バーの連結方法の一例を示す部分断面図である。
なお、図１乃至図３に記載されたものと同一部分については同一符号を付し、その構成についての説明は省略する。
図４に示すように、スライド部材３ｃにおいて、手摺バー保持部１０ｂと手摺バー５は、たとえば、手摺バー保持部１０ｂの内壁に雌ネジ１０ｃを、手摺バー５の湾曲部５ａを備えない端部には雄ネジ５ｃをそれぞれ形成し、手摺バー保持部１０ｂに手摺バー５を螺設し、さらに、リングの内周面に雌ネジを有する固定リング２２を手摺バー保持部１０ｂの端部側に螺設することで手摺バー５を手摺バー保持部１０ｂに固定してもよい。
このように、スライド部材３ｃに手摺バー５を螺設することで、手摺バー保持部１０ｂから手摺バー５が不意に脱落するのを確実に防止することができるという効果を有する。この結果、実施例１に係る浴槽用手摺の安全性を一層高めることができるという効果が期待できる。
また、このとき、固定リング２２と手摺バー保持部１０ｂの端部の間に、合成樹脂やゴムなどの弾性体、あるいは金属製のワッシャーからなる介挿体２３を介設することにより、手摺バー保持部１０ｂに手摺バー５を一層確実に固定することができるという効果を有する。さらに、固定リング２２と介挿体２３は、浴槽内の湯や水が手摺バー保持部１０ｂと手摺バー５の螺設面に入り、錆びて手摺バー５を引き抜くことができなくならないようにパッキンの役割を果たす。固定リング２２は湯や水によって錆びる可能性があるが、固定リング２２の長さは短く錆びによる摩擦力の増加も小さいため、外して交換することは可能である。
【００２７】
以下に、実施例２に係る浴槽用手摺を図５を参照しながら説明する。
図５は本考案の実施例２に係る浴槽用手摺の一部を示す部分概念図である。なお、図１乃至図４に記載されたものと同一部分については同一符号を付し、その構成についての説明は省略する。
図５に示すように、本考案の実施例２に係る浴槽用手摺１ｂは、上述の浴槽用手摺１ａと同じ構成を有し、その作用及び効果もほぼ同じであるが、ストッパー４が設けられる位置が実施例１に係る浴槽用手摺１ａとは異なっている。
実施例１に係る浴槽用手摺１ａにおいては、手摺バー保持部１０ｂが設けられる位置と同じ位置に取付角度を変えてストッパー４が設けられているため、スライド部材３ａの形状をコンパクトにすることができるという利点を有する反面、手摺バー５を浴室７の側壁７ａに回動可能とするためには、図１に示す、ガイドバー２と浴室７の側壁７ａとの距離を、ストッパー４の高さ、すなわち、ネジ受け部１１の基部からハンドル１４の先端部までの距離よりも大きく設定する必要がある。
これに対して、図５に示す、実施例２に係る浴槽用手摺１ｂの場合のように、ストッパー４と手摺バー保持部１０ｂを平行に、かつストッパー４をガイドバー２の周方向と同じ方向に設けた場合には、側壁７ａとガイドバー２との距離が僅かであっても手摺バー５を確実に回動させることができる。この結果、浴槽８や浴室７の空間を有効に活用できるという優れた効果を有するのである。
【００２８】
以下に、実施例３に係る浴槽用手摺を図６を参照しながら説明する。
図６は本考案の実施例３に係る浴槽用手摺を浴室に設置した状態を示す概念図である。なお、図１乃至図５に記載されたものと同一部分については同一符号を付し、その構成についての説明は省略する。
実施例３に係る浴槽用手摺１ｃは、実施例１に係る浴槽用手摺１ａと同じ構成に加えて、スライド部材３ｃから浴槽８の縁の上面に伸びて当接する補強部材１９及び、ガイドバー２の湾曲部５ａの基部から浴槽８の縁の上面に伸びて当接する補強部材２０を備えるものであり、補強部材１９,２０において、浴槽８の縁の上面に当接する端部には、先端部５ｂに設けられる弾性体６と同様の弾性体２１により被覆されている。
このように、実施例３に係る浴槽用手摺１ｃにおいては、補強部材１９,２０を備えることで、使用者が手摺バー５を把持して、手摺バー５を押し下げるような力が作用した場合に、補強部材１９がガ浴槽８の縁に当接してガイドバー２及び手摺バー５を支持し、さらに、補強部材２０が浴槽８の縁に当接して手摺バー５の湾曲部５ａの基部を支持することで、手摺バー５及びガイドバー２が撓むのを防止して浴槽用手摺１ｃの安定性を一層向上させるという効果を有する。
この時、補強部材１９,２０の端部は弾性体２１,２１を介して浴槽８の縁に当接するので、補強部材１９,２０の端部が接触することで浴槽８に傷がつくおそれがない。
なお、図６に示す浴槽用手摺１ｃのように、補強部材１９,２０を両方とも備えていることが望ましいが、補強部材１９,２０のいずれか一方のみを備えた場合でも、十分な手摺バー５の補強効果を期待できる。
また、補強部材１９の端部は、浴槽８の縁の上面に当接しているが、補強部材１９を屈曲又は湾曲させて、補強部材１９の端部が浴室７の側壁７ａに当接するよう構成してもよい。この場合も、補強部材１９の端部が浴槽８の縁の上面に当接する場合と同様の効果が発揮される。
【産業上の利用可能性】
【００２９】
本考案に係る浴槽用手摺は、加齢により足腰が弱った人や、障害を有する人の浴槽への入浴や、洗い場における動作を安全に行なうことができるようにするものであり、介護用品やリハビリ用器具に関する分野において利用の可能性が高い。
【図面の簡単な説明】
【００３０】
【図１】本考案の実施例１に係る浴槽用手摺を浴室に設置した状態を示す概念図である。
【図２】本考案の実施例１に係る浴槽用手摺のスライド部材を詳細に示す部分概念図である。
【図３】（ａ），（ｂ）はいずれも図２中のＣ−Ｃ線における矢視断面図である。
【図４】実施例１に係る浴槽用手摺のスライド部材と手摺バーの連結方法の一例を示す部分断面図である。
【図５】本考案の実施例２に係る浴槽用手摺の一部を示す部分概念図である。
【図６】本考案の実施例３に係る浴槽用手摺を浴室に設置した状態を示す概念図である。
【００３１】
１ａ〜１ｃ…浴槽用手摺  ２…ガイドバー  ３ａ〜３ｃ…スライド部材  ４…ストッパー  ５…手摺バー  ５ａ…湾曲部  ５ｂ…先端部  ５ｃ…雄ネジ  ６…弾性体  ７…浴室  ７ａ…側壁  ８…浴槽  ８ａ，８ｂ…側壁  ９…洗い場  １０ａ…スライド部材本体  １０ｂ…手摺バー保持部  １０ｃ…雌ネジ  １１…ネジ受け部  １２…雄ネジ  １３…雌ネジ  １４…ハンドル  １５…孔  １６…押圧部材  １７…弾性体  １８…保持具  １９…補強部材  ２０…補強部材  ２１…弾性体  ２２…固定リング  ２３…介挿体
【図１】
0003126240.tif 000003
【図２】
0003126240.tif 000004
【図３】
0003126240.tif 000005
【図４】
0003126240.tif 000006
【図５】
0003126240.tif 000007
【図６】
0003126240.tif 000008